(57)【要約】【課題】打撃時の反発性能を向上したゴルフクラブヘッドを提供すること。【解決手段】本ゴルフクラブヘッドは、ヘッド本体部材と、フェース部材と、を有するゴルフクラブヘッドであって、前記ヘッド本体部材は、前記フェース部材をその内側に受け入れる枠部と、前記フェース部材の背面を配置する配置部と、を有し、前記配置部は、スリットを形成し、前記スリットは、ソール側において、前記配置部のトウ−ヒール方向の中央位置を含み形成される。【選択図】図４
2018175126.tif 000002
【特許請求の範囲】
【請求項１】
ヘッド本体部材と、フェース部材と、を有するゴルフクラブヘッドであって、
前記ヘッド本体部材は、前記フェース部材をその内側に受け入れる枠部と、前記フェース部材の背面を配置する配置部と、を有し、
前記配置部は、スリットを形成し、
前記スリットは、ソール側において、前記配置部のトウ−ヒール方向の中央位置を含み形成されることを特徴とするゴルフクラブヘッド。
【請求項２】
前記配置部は、非環状であることを特徴とする請求項１に記載のゴルフクラブヘッド。
【請求項３】
前記フェース部材に複数のスコアラインが配列され、
トウ−ヒール方向における、前記スコアラインの最もヒール側の位置または、フェース面の平らに形成された部分の最もヒール側の位置から、前記ヘッド本体部材の最もトウ側の位置までの距離をフェース長としたときに、前記スリットのトウ−ヒール方向の長さは、前記フェース長の３７％以上８６％以下であることを特徴とする請求項１または２に記載のゴルフクラブヘッド。
【請求項４】
前記フェース部材に複数のスコアラインが配列され、
前記スコアラインの最もヒール側の位置または、フェース面の平らに形成された部分の最もヒール側の位置におけるヘッド上下方向の中心点と、前記スコアラインの最もトウ側の位置または、ホゼル部を除き前記ヘッド本体部材において最もトップ側となる位置におけるヘッド上下方向の中心点と、を通り伸びる直線を仮想傾斜線としたときに、
前記配置部は、前記仮想傾斜線よりも上側にある前記配置部の幅の平均値が、前記仮想傾斜線よりも下側にある前記配置部の幅の平均値よりも大きいことを特徴とする請求項１乃至３の何れか一項に記載のゴルフクラブヘッド。
【請求項５】
前記フェース部材の背面の下部に凹部が形成されることを特徴とする請求項１乃至４の何れか一項に記載のゴルフクラブヘッド。
【発明の詳細な説明】
【技術分野】
【０００１】
本発明は、ゴルフクラブヘッドに関する。
【背景技術】
【０００２】
従来のゴルフクラブヘッドにおいて、様々な位置にスリットや凹部を設ける構造が提案されている。
【先行技術文献】
【特許文献】
【０００３】
【特許文献１】特開２０１６−０５５１２１号公報
【特許文献２】特開２０１６−０５５１１９号公報
【特許文献３】特開２００３−１４４５９２号公報
【特許文献４】特開２０１５−０２９８３６号公報
【特許文献５】特開２０１５−０１９７４６号公報
【発明の概要】
【発明が解決しようとする課題】
【０００４】
本発明は、打撃時の反発性能を向上したゴルフクラブヘッドを提供することを目的とする。
【課題を解決するための手段】
【０００５】
本ゴルフクラブヘッドは、ヘッド本体部材と、フェース部材と、を有するゴルフクラブヘッドであって、前記ヘッド本体部材は、前記フェース部材をその内側に受け入れる枠部と、前記フェース部材の背面を配置する配置部と、を有し、前記配置部は、スリットを形成し、前記スリットは、ソール側において、前記配置部のトウ−ヒール方向の中央位置を含み形成されることを要件とする。
【発明の効果】
【０００６】
開示の技術によれば、打撃時の反発性能を向上したゴルフクラブヘッドを提供できる。
【図面の簡単な説明】
【０００７】
【図１】本実施の形態に係るゴルフクラブヘッド１を例示する正面図である。
【図２】本実施の形態に係るゴルフクラブヘッド１を例示する背面図である。
【図３】本実施の形態に係るゴルフクラブヘッド１のヘッド本体部材１０を例示する正面図である。
【図４】本実施の形態に係るゴルフクラブヘッド１のヘッド本体部材１０を例示する斜視図である。
【図５】本実施の形態に係るゴルフクラブヘッド１のスリット１９について説明する図である。
【図６】本実施の形態に係るゴルフクラブヘッド１のフェース部材２０を例示する背面図である。
【図７】本実施の形態の変形例に係るゴルフクラブヘッド１Ａを例示する正面図である。
【図８】フェース部材２０の背面に形成される凹部の変形例を示すフェース部材２０の背面図である。
【発明を実施するための形態】
【０００８】
以下、図面を参照して、実施の形態の説明を行う。なお、各図面において、同一構成部分には同一符号を付し、重複した説明を省略する場合がある。
【０００９】
図１は、本実施の形態に係るゴルフクラブヘッド１を例示する正面図である。図２は、本実施の形態に係るゴルフクラブヘッド１を例示する背面図である。図３は、本実施の形態に係るゴルフクラブヘッド１のヘッド本体部材１０を例示する正面図である。図４は、本実施の形態に係るゴルフクラブヘッド１のヘッド本体部材１０を例示する斜視図である。図５は、本実施の形態に係るゴルフクラブヘッド１のスリット１９について説明する部分拡大正面図である。図６は、本実施の形態に係るゴルフクラブヘッド１のフェース部材２０を例示する背面図である。
【００１０】
図１〜図６では、ゴルフクラブヘッド１をフェース面２０ｆ側から視た図を正面図としており、図１では、ゴルフクラブヘッド１を水平面Ｈ（地面に相当）に基準のライ角及び基準のロフト角通りに接地した場合を図示している。また、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１〜図６に示すゴルフクラブヘッド１は、アイアン型のゴルフクラブヘッドであり、ヘッド本体部材１０と、ヘッド本体部材１０に溶接等により接合されたフェース部材２０とを有する構造体である。なお、構造体を構成する各部において、フェース側の面を表面、バック側の面を背面と称する場合がある。
【００１２】
ヘッド本体部材１０は、枠部１１と、配置部１２と、バック部１３と、ソール部１４と、ホゼル部１５とを有している。ヘッド本体部材１０は、例えば、チタン合金、チタン、ステンレス、アルミニウム合金等の金属材料を用いて形成することができる。フェース部材２０は、例えば、チタン合金、チタン、ステンレス、アルミニウム合金等の金属材料を用いて形成することができる。
【００１３】
フェース部材２０は、打撃面となるフェース面２０ｆを備えている。なお、フェース部材２０は所定の厚みを有しており、フェース面２０ｆはフェース部材２０の外面をなしている。フェース面２０ｆには、トウ−ヒール方向を長手方向とする複数のスコアライン２０ｓ（フェース面２０ｆから窪む溝）が、所定間隔でトップ−ソール方向に配列されている。
【００１４】
フェース部材２０の背面の下部には、凹部２５が形成されてもよい。凹部２５は、フェース部材２０の背面のソール側の縁に沿って設けられたソール側凹部２５ａと、ソール側凹部２５ａのトウ側端からフェース部材２０の背面のトウ側の縁に沿って延伸するトウ側凹部２５ｂとを備えている。凹部２５の幅Ｗ３（ソール側凹部２５ａの幅、及びトウ側凹部２５ｂの幅）は、例えば、０．５ｍｍ以上５ｍｍ以下である。
【００１５】
Ｌ１は、トウ−ヒール方向における、スコアライン２０ｓの最もヒール側の位置（または、フェース面２０ｆの平らに形成された部分の最もヒール側の位置）から、ヘッド本体部材１０の最もトウ側の位置までの距離であり、これをフェース長と称する。つまり、フェース長Ｌ１は、スコアライン２０ｓの最もヒール側の位置（または、フェース面２０ｆの平らに形成された部分の最もヒール側の位置）を通り水平面Ｈと垂直な直線Ｓ１と、ヘッド本体部材１０の最もトウ側の位置を通り水平面Ｈと垂直な直線Ｓ２との間隔である。フェース長Ｌ１は、例えば、７０ｍｍ以上８０ｍｍ以下である。
【００１６】
枠部１１は、その内側に形成される開口部１１ｘにフェース部材２０を受け入れ、正面視においてホゼル部１５側を除くヘッド本体部材１０の外縁を形成するように、ヒール側、トップ側、トウ側、ソール側にかけて伸び、環状に形成されている。
【００１７】
枠部１１の内側には、更にフェース部材２０の背面を配置する配置部１２が設けられている。配置部１２の表面（フェース側の面）は、枠部１１の表面（フェース側の面）からバック部１３側に窪んだ位置にある。配置部１２の表面は、フェース部材２０の背面の外縁部と接する。配置部１２の表面の、枠部１１の表面からの窪み量は、フェース部材２０の厚さと同程度である。
【００１８】
配置部１２にはスリット１９が形成されており、配置部１２は、ヒール側、トップ側、トウ側、ソール側の一部にかけて伸び、非環状に形成されている。スリット１９は、ヘッド本体部材１０のソール部１４側において、配置部１２のトウ−ヒール方向の中央位置を含んで形成されている。スリット１９のトウ−ヒール方向の長さＬ２は、例えば、３０ｍｍ以上６０ｍｍ以下である。また、スリット１９のトウ−ヒール方向の長さＬ２は、例えば、フェース長Ｌ１の３７％以上８６％以下である。
【００１９】
より詳細に説明すると、例えば、スリット１９は、配置部１２のソール側トウ部端部１２ａの上辺１２１から配置部１２のソール側ヒール部端部１２ｂの上辺１２２の間に形成される上辺仮想平面１９１（図５（ａ）参照）と、配置部１２のソール側トウ部端部１２ａの前辺１２３から配置部１２のソール側ヒール部端部１２ｂの前辺１２４の間に形成される前辺仮想平面１９２（図５（ａ）参照）と、配置部１２のソール側トウ部端部１２ａの下辺１２５から配置部１２のソール側ヒール部端部１２ｂの下辺１２６の間に形成される下辺仮想平面１９３（図５（ｂ）参照）と、配置部１２のソール側トウ部端部１２ａの後辺１２７から配置部１２のソール側ヒール部端部１２ｂの後辺１２８の間に形成される後辺仮想平面１９４（図５（ｂ）参照）とで囲まれた領域である。
【００２０】
なお、図５（ａ）及び図５（ｂ）では、便宜上、上辺仮想平面１９１、前辺仮想平面１９２、下辺仮想平面１９３、及び後辺仮想平面１９４に斜線を付している。
【００２１】
また、仮想傾斜線Ｓ４よりも上側にある配置部１２の幅Ｗ１の平均値が、仮想傾斜線Ｓ４よりも下側にある配置部１２の幅Ｗ２の平均値よりも大きい。
【００２２】
仮想傾斜線Ｓ４は、スコアライン２０ｓの最もヒール側の位置（または、フェース面２０ｆの平らに形成された部分の最もヒール側の位置）におけるヘッド上下方向の中心点Ｐ１と、スコアライン２０ｓの最もトウ側の位置（または、ゴルフクラブヘッド１を水平面Ｈに基準のライ角及び基準のロフト角通りに接地した場合に、ホゼル部１５を除きヘッド本体部材１０において最もトップ側となる位置）におけるヘッド上下方向の中心点Ｐ２とを通り伸びる直線である。
【００２３】
中心点Ｐ１は、直線Ｓ１上のヘッド本体部材１０の最上部の位置Ｐ３と、水平面Ｈとの中心に位置する点である。また、中心点Ｐ２は、直線Ｓ３上のヘッド本体部材１０の最上部の位置Ｐ４と、水平面Ｈとの中心に位置する点である。ここで、直線Ｓ３は、スコアライン２０ｓの最もトウ側の位置（または、ゴルフクラブヘッド１を水平面Ｈに基準のライ角及び基準のロフト角通りに接地した場合に、ホゼル部１５を除きヘッド本体部材１０において最もトップ側となる位置）を通り水平面Ｈと垂直な直線である。
【００２４】
配置部１２の幅Ｗ１の平均値は、例えば、１．５ｍｍ以上４ｍｍ以下である。また、配置部１２の幅Ｗ２の平均値は、例えば、１ｍｍ以上３ｍｍ以下である。
【００２５】
配置部１２の主にソール側トウ部端部１２ａ近傍のバック側には、トップ−ソール方向の肉厚がソール側トウ部端部１２ａより厚い部分を有するトウ側肉厚部１３１が設けられている。配置部１２の主にソール側ヒール部端部１２ｂ近傍のバック側には、トップ−ソール方向の肉厚がソール側ヒール部端部１２ｂよりも厚い部分を有するヒール側肉厚部１３２が設けられている。
【００２６】
トウ側肉厚部１３１とヒール側肉厚部１３２との間であって、配置部１２の主にスリット１９近傍のバック側には、トップ−ソール方向の肉厚がヘッド本体部材１０のソール側よりも厚い部分を有する中央肉厚部１３３が設けられている。
【００２７】
トウ側肉厚部１３１の中央肉厚部１３３側の側面は、トウ側からヒール側に向かって下る傾斜面となっている。ヒール側肉厚部１３２の中央肉厚部１３３側の側面は、ヒール側からトウ側に向かって下る傾斜面となっている。
【００２８】
中央肉厚部１３３のトップ−ソール方向の最大厚さは、トウ側肉厚部１３１及びヒール側肉厚部１３２のトップ−ソール方向の最大厚さよりも薄い。
【００２９】
ソール側にトウ側肉厚部１３１、ヒール側肉厚部１３２、及び中央肉厚部１３３を設けることにより、ゴルフクラブヘッドの１の慣性モーメントを向上させる効果を奏する。
【００３０】
このように、ゴルフクラブヘッド１では、フェース部材２０の背面を配置する配置部１２にスリット１９を設けており、スリット１９はソール側において配置部１２のトウ−ヒール方向の中央位置を含み形成されている。これにより、打撃時にフェース部材２０のソール側の部分が撓みやすくなるため、反発性能を向上することができる。
【００３１】
また、配置部１２において、仮想傾斜線Ｓ４よりも上側にある配置部１２の幅Ｗ１の平均値を、仮想傾斜線Ｓ４よりも下側にある配置部１２の幅Ｗ２の平均値よりも大きくすることにより、打撃時にフェース部材２０のソール側の部分がいっそう撓みやすくなるため、反発性能を更に向上することができる。
【００３２】
また、配置部１２のスリット１９と、フェース部材２０の背面に凹部２５とを設けることで、打撃時にフェース部材２０のソール側の部分がいっそう撓みやすくなるため、反発性能を更に向上することができる。
【００３３】
図７は、本実施の形態の変形例に係るゴルフクラブヘッド１Ａを例示する正面図である。ゴルフクラブヘッド１Ａは、フェース部材２０の背面に形成された凹部２５をソール側に移動し、配置部１２のスリット１９と凹部２５とを正面視において重複する部分を有するように配置した点が、ゴルフクラブヘッド１と相違する。
【００３４】
配置部１２のスリット１９と、フェース部材２０の背面の凹部２５を、図７に示すように、正面視において少なくとも部分的に重複させることで、打撃時にフェース部材２０のソール側の部分がよりいっそう撓みやすくすることができる。
【００３５】
また、ゴルフクラブヘッド１または１Ａにおいて、図８に示すように、フェース部材２０の背面の下部に、凹部２５に代えて凹部２６が形成されてもよい。凹部２６は、フェース部材２０の背面のソール側の縁に沿って直線状に設けられており、例えば、凹部２５のソール側凹部２５ａと同様の形状とすることができる。凹部２６は、フェース部材２０の背面のソール側の縁からの距離がほぼ等しくなるよう、少し湾曲していてもよい。凹部２６の幅Ｗ４は、例えば、０．５ｍｍ以上５ｍｍ以下である。フェース部材２０の背面の下部に凹部２６が形成された場合も、打撃時にフェース部材２０のソール側の部分がいっそう撓みやすくなる。
【００３６】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００３７】
１、１Ａ  ゴルフクラブヘッド
１０  ヘッド本体部材
１１  枠部
１１ｘ  開口部
１２  配置部
１２ａ  ソール側トウ部端部
１２ｂ  ソール側ヒール部端部
１３  バック部
１４  ソール部
１５  ホゼル部
１９  スリット  
２０  フェース部材
２０ｆ  フェース面
２０ｓ  スコアライン
２５、２６  凹部
２５ａ  ソール側凹部
２５ｂ  トウ側凹部
１２１、１２２  上辺
１２３、１２４  前辺
１２５、１２６  下辺
１２７、１２８  後辺
１３１  トウ側肉厚部
１３２  ヒール側肉厚部
１３３  中央肉厚部
１９１  上辺仮想平面
１９２  前辺仮想平面
１９３  下辺仮想平面
１９４  後辺仮想平面
【図１】
2018175126.tif 000003
【図２】
2018175126.tif 000004
【図３】
2018175126.tif 000005
【図４】
2018175126.tif 000006
【図５】
2018175126.tif 000007
【図６】
2018175126.tif 000008
【図７】
2018175126.tif 000009
【図８】
2018175126.tif 000010